(57)【要約】      （修正有）【課題】塵芥収容部を目視確認しながら収集した塵芥を容易かつ確実に、衛生的に塵芥排出ができる排出口付き塵取りを提供する。【解決手段】塵芥収容部の底部２にＬ字状に形成した２つの側面部３の底部と反対側に移動ガイドを設置し、該移動ガイドに沿って可撓性を有する後蓋８を移動できるようにして排出口を開閉し、収集した塵芥を自重で落下排出させることを可能とした。【選択図】図１
0003205944.tif 000002
【実用新案登録請求の範囲】
【請求項１】
塵芥収容のため収集口の一辺となり必ず接地させる辺（接地辺１と呼ぶ）を有した四角形状をした平板からなる底部２と、前記接地辺１およびその相対する辺を除く２辺に前記底部２に対しＬ字状に立ち上がる四角形状をした平板からなる２枚の側面部３と、前記側面部３の前記底部２と反対側の相対する２辺の位置を両端として設けた四角形状の天板４と、前記側面部３と前記天板４が接する辺の前記収集口側から、前記天板４と前記側面部３が接する辺に接するように、前記天板４に設けた所定の長さに形成した向かい合う１対の溝Ａ５と、前記溝Ａ５の前記収集口と反対側（排出口と呼ぶ）から、前記側面部３が前記底部２と接する辺の前記接地辺１と反対側の点に向かい、徐々に前記底部２との距離を短くするように形成した溝Ｂ６からなる１対の移動ガイドと、前記移動ガイドに可撓性を有する後蓋８をはめこみ、前記後蓋８を前記移動ガイドに沿って移動できるようにしたことを特徴とする排出口付き塵取り。
【請求項２】
請求項１に記載した底部２が接地した状態で、前記排出口を形成する前記天板４の辺から前記底部２に下した垂線の長さが、前記収集口を形成する前記天板４の辺から前記底部２に下した垂線の長さより長い構造としたことを特徴とする排出口付き塵取り。
【考案の詳細な説明】
【技術分野】
【０００１】  本考案は、排出口付き塵取りに関するものである。
【背景技術】
【０００２】  従来の排出口付き塵取りは、塵芥の収集口および排出口を開閉自在として、排出口は塵取り容器本体の排出口側につめ部を、排出蓋にかぎ部を設置し、排出蓋を手動で開閉するようになっており、塵芥排出口の蓋は塵取り容器の底部と曲折部で接続され開閉自在になっていた（特許文献１参照）。【０００３】  また、別の従来の排出口付き塵取りは、塵取り全体を支持できる柄に操作ハンドルを有し、操作ハンドルの操作によって、柄の中のワイヤーを操作することにより、排出口を開き、塵取り容器内の塵芥を自重で排出するようになっており、塵芥排出口の蓋は塵取り容器の底部とヒンジにより接続され開閉自在になっていた（特許文献２参照）。
【先行技術文献】
【特許文献１】  特開２００４−１７４１８５号公報
【特許文献２】  実登３１１６１２３号公報
【考案の概要】
【考案が解決しようとする課題】
【０００４】  従来の排出口付き塵取りのうち、塵芥の収集口および排出口を開閉自在として、排出口は塵取り容器の排出口側につめ部を、排出蓋にかぎ部を設置し、排出蓋を手動で開閉する方法は、つめ部、かぎ部の位置が排出口と接近しており、塵取り容器内の塵芥をゴミ箱またはゴミ袋に排出する際、排出口をゴミ箱またはゴミ袋から離して、排出蓋のかぎ部を操作すると、塵芥が上手くゴミ箱またはゴミ袋に排出されず、ゴミ箱またはゴミ袋外に散乱するという問題がある。一方、塵取り容器内の塵芥をゴミ箱またはゴミ袋に排出できるように排出口をゴミ箱またはゴミ袋内の奥深く挿入すると、排出蓋のかぎ部操作がしにくいという課題がある。また、塵芥排出口の蓋は塵取り容器の底部と曲折部で接続されているので折れやすいという課題がある。【０００５】  また、従来の排出口付き塵取りのうち、塵取り全体を支持できる柄に操作ハンドルを有し、操作ハンドルの操作によって、柄の中のワイヤーを操作することにより、排出口を開き、塵取り容器内の塵芥を自重で排出する方法は、塵取り容器内から排出する塵芥の目視確認ができないため、完全に塵芥を排出できずに塵芥が残ったままになるという課題がある。更にワイヤーを介して、排出口の開閉を行っているので構造が複雑で信頼性の問題がある。また、収集口の高さと排出口の高さがほぼ同じ高さであるために、塵取り容器内に収納された塵芥のうち、その形状が塵芥の収集から排出までの行為のうちに変化する塵芥（例えばビニール袋や紙コップなど）が、排出口から排出できずに残ったままになるという課題があった。また、塵芥排出口の底蓋は塵取り容器の底部とヒンジで接続されているのでヒンジに塵が詰まり動作しなくなるという課題がある。【０００６】  本考案はかかる従来の問題を改善するためになされたもので、その目的とするところは、塵芥収容部を目視確認しながら容易かつ確実に、衛生的に塵芥排出ができる排出口付き塵取りを提供することである。
【課題を解決するための手段】
【０００７】  上記の目的を達成するために、本考案にかかる排出口付き塵取りは塵芥収容のため収集口の一辺となり必ず接地させる辺（接地辺１と呼ぶ）を有した四角形状をした平板からなる底部２と、前記接地辺１およびその相対する辺を除く２辺に前記底部２に対しＬ字状に立ち上がる四角形状をした平板からなる２枚の側面部３と、前記側面部３の前記底部２と反対側の相対する２辺の位置を両端として設けた四角形状の天板４と、前記側面部３と前記天板４が接する辺の前記収集口側から、前記天板４と前記側面部３が接する辺に接するように、前記天板４に設けた所定の長さに形成した向かい合う１対の溝Ａ５と、前記溝Ａ５の前記収集口と反対側（排出口と呼ぶ）から、前記側面部３が前記底部２と接する辺の前記接地辺１と反対側の点に向かい、徐々に前記底部２との距離を短くするように形成した溝Ｂ６からなる１対の移動ガイドと、前記移動ガイドに可撓性を有する後蓋８をはめこみ、前記後蓋８を前記移動ガイドに沿って移動できるようにしたことを特徴とする。【０００８】  かかる構成により、柄１１を保持、操作し、排出口付き塵取りの前記後蓋８を排出口の入る程度の小形のゴミ箱またはゴミ袋に対向挿入させ、前記後蓋８を前記収集口の方向に移動操作させることで、塵芥収容部の塵芥の残存状況を目視確認しながら排出できるので確実に塵芥を排出できる。【０００９】  また、前記移動ガイドに沿って前記後蓋８を前記収集口の方向に移動操作させ収容した塵芥を、塵芥の自重により直下に排出させるので、塵芥が前記小形のゴミ箱またはゴミ袋の外に散乱しない好ましいものになる。【００１０】  また、接地する前記底部２に手が触れることがないので衛生的に作業を行うことができる好ましいものになる。【００１１】  また、ヒンジ等の微細な回動部がなく塵による部品の摩耗がない。【００１２】  また、本考案の排出口付き塵取りは、前記天板４の接地辺１側の辺と反対側の辺から前記底部２に下した垂線の長さ（排出口の高さと呼ぶ）が前記天板４の接地辺１側の辺から前記底部２に下した垂線の長さ（収集口の高さと呼ぶ）より長い、即ち前記収集口より前記排出口の方が広い構造としたことを特徴とする。【００１３】  かかる構成により、前記柄１１をもって塵取り本体を宙吊り状態にしたとき、塵芥収容部の前記排出口が前記収集口より広くなっているので、塵芥の排出が非常に容易になるという好ましいものになる。
【考案の効果】
【００１４】  本考案の排出口付き塵取りによれば、排出口付き塵取りの後蓋を排出口の入る程度の小形のゴミ箱またはゴミ袋に対向挿入させ、後蓋を収集口の方向に移動操作させ排出口を開放することにより、塵芥収容部の塵芥の残存状況を目視確認しながら衛生的で確実に塵芥を塵芥の自重により直下に確実に排出させることができる好ましいものになる。【００１５】  また、本考案の排出口付き塵取りによれば、収集口より排出口の方を広い構造としたことにより、塵芥の排出が非常に容易になるという好ましいものになる。【００１６】  以上説明したように、本考案の排出口付き塵取りによれば、塵芥収容部を目視確認しながら容易かつ確実に衛生的に塵芥排出ができるという好ましいものとなる。
【考案を実施するための形態】
【００１７】  以下、本考案の実施の形態について、図面を参照しながら説明する。
【００１８】  図１、図２は本考案実施形態にかかる排出口付き塵取りの斜視図を示すものである。
【００１９】  図１に示すように塵芥収容のため収集口の一辺となり必ず接地させる辺（接地辺１と呼ぶ）を有する四角形状の平板からなる底部２と、接地辺１およびその相対する辺を除く２辺に、底部２に対しＬ字状に立ち上がる四角形状の平板からなる２枚の側面部３を取り付けている。更に、側面部３の底部２と反対側の相対する２辺の位置を両端として設けた天板４と、側面部３と天板４が接する辺の収集口側から、天板４と側面部３が接する辺に接するように、天板４の上に所定の長さに形成した向かい合う１対の溝Ａ５と、溝Ａ５の排出口側から、側面部３が底部２と接する辺の排出口側に向かい、徐々に底部２との距離を短くするように形成した溝Ｂ６からなる１対の移動ガイドと、移動ガイドにツマミ７を備え可撓性を有する後蓋８をはめこみ、ツマミ７を操作し後蓋８を移動ガイドに沿って移動できるようにし、前記側面部３の、塵取り本体の重心位置より収集口側に近い左右対称な２点に支持金具取り付け穴９をあけ、前記記載の支持金具取り付け穴９に回動自在に接続した支持金具１０と支持金具１０に接続された柄１１を取り付けている。
【００２０】  このようになっているので、排出口付き塵取りは塵芥収集作業時には後蓋８を排出口側へ移動し、排出口を閉じて、接地辺１を接地させ、塵芥を排出口付き塵取りで収集できるようにしている。
【００２１】  更に本考案の排出口付き塵取りの塵芥収容部からの塵取り排出作業時には、柄１１は塵取り本体の重心位置より収集口側に設置されているので、柄１１を持ち上げるだけで塵取りの自重で、排出口は最下部の地面側になり、塵取り排出に最適な条件となる。
【００２２】  排出口が最下部の地面側になった状態で、図２に示すようにツマミ７を操作し後蓋８を移動ガイドに沿って収集口の方向へ移動操作させれば、排出口が開き塵芥収容部の塵芥が自然に直下へ落下し、塵芥の排出時に収集口から塵芥収容部の塵芥の残存状況を目視確認しながら、簡単に塵芥を排出することができる。
【００２３】  このように塵芥は塵取りの最下部の排出口から排出するので、排出口をゴミ箱またはゴミ袋に対向挿入し塵芥を排出させれば塵芥をゴミ箱またはゴミ袋の外に散乱させることがない。
【００２４】  また、本考案にかかる排出口付き塵取りの実施形態を示すもので、排出口の高さが、収集口の高さより高い、即ち排出口の方が収集口より広い形状になっているので、収納された塵芥のうち、その形状が塵芥の収集から排出までの行為のうちに変化する塵芥（例えばビニール袋や紙コップなど）も、排出口から容易に排出できるようになる。
【００２５】  また、ツマミ７を操作し後蓋８を移動させるだけで塵芥を排出できるので、接地させる底部２に全く触れることもなく衛生的である。以上、後蓋８にツマミ７を設置した状態で説明したが、ツマミ７を有しない実施形態も可能であり（図示せず）、その場合、後蓋８を直接操作することで後蓋８を移動ガイドに沿って移動させる。
【産業上の利用可能性】
【００２６】  本考案にかかる排出口付き塵取りによれば塵芥を散乱させることなくゴミ箱またはゴミ袋へ排出でき、接地させる底部２に全く触れることもなく衛生的であり排出口付き塵取りとして有用である。
【図面の簡単な説明】
【００２７】
【図１】  本考案にかかる排出口付き塵取りの塵芥収集時の斜視図である。
【図２】  同排出口付き塵取りの塵芥排出時の斜視図である。
【００２８】    １  接地辺
２  底部
３  側面部
４  天板
５  溝Ａ
６  溝Ｂ
７  ツマミ
８  後蓋
９  支持金具取り付け穴
１０  支持金具
１１  柄
【図１】
0003205944.tif 000003
【図２】
0003205944.tif 000004
【手続補正書】
【提出日】平成28年6月3日(2016.6.3)
【手続補正１】
【補正対象書類名】実用新案登録請求の範囲
【補正対象項目名】全文
【補正方法】変更
【補正の内容】
【実用新案登録請求の範囲】
【請求項１】
塵芥収容のため収集口の一辺となり必ず接地させる辺（接地辺１と呼ぶ）を有した四角形状をした平板からなる底部２と、前記接地辺１およびその相対する辺を除く２辺に前記底部２に対しＬ字状に立ち上がる四角形状をした平板からなる２枚の側面部３と、前記側面部３の前記底部２と反対側の相対する２辺の位置を両端として設けた四角形状の天板４と、前記側面部３と前記天板４が接する辺の前記収集口側から、前記天板４と前記側面部３が接する辺に接するように、前記天板４に設けた所定の長さに形成した向かい合う１対の溝Ａ５と、前記溝Ａ５の前記収集口と反対側（排出口と呼ぶ）から、前記側面部３が前記底部２と接する辺の前記接地辺１と反対側の点に向かい、徐々に前記底部２との距離を短くするように形成した溝Ｂ６からなる１対の移動ガイドと、前記移動ガイドに可撓性を有する後蓋８をはめこみ、前記後蓋８を前記移動ガイドに沿って移動できるようにしたことを特徴とする排出口付き塵取り。
【請求項２】
前記底部２が接地した状態で、前記排出口を形成する前記天板４の辺から前記底部２に下した垂線の長さが、前記収集口を形成する前記天板４の辺から前記底部２に下した垂線の長さより長い構造としたことを特徴とする請求項１に記載の排出口付き塵取り。